(57)【要約】【課題】端子付電線において、止水チューブの部分が過剰に太くならないようにしつつ端子金具と止水チューブとの間に隙間が形成されることを防ぎ、芯線の腐食を防止すること。【解決手段】止水チューブ４は、熱収縮チューブ及びその内側面に全周に亘って形成された熱可塑性の接着剤の層を含む２層構造を有する。止水チューブ４を加熱する工程は、端子付電線２−３の止水領域が、収縮前の止水チューブ４内における、端子金具３の基部３２−３３の第一主面３０１に対し反対側の第二主面３０２側に偏った位置に存在する状態で行われる。基部３２−２２の第一主面３０１は、絶縁電線２と接触する面である。【選択図】図５
2015026429.tif 000002
【特許請求の範囲】
【請求項１】
絶縁電線及び前記絶縁電線に接続された端子金具を含む端子付電線と、熱収縮チューブ及び前記熱収縮チューブの内側面に全周に亘って形成された熱可塑性の接着剤の層を含む２層構造を有し前記絶縁電線の端部を覆う止水チューブと、を備え、前記端子金具は、第一面において前記絶縁電線と接触し前記絶縁電線の芯線が接続された芯線接続部及び前記芯線接続部に連なる中間部を含む板状の基部と前記中間部に連なり接続相手に直接接続される接点部とを有するワイヤハーネスの製造方法であって、
前記端子付電線における前記絶縁電線の絶縁被覆の部分から前記端子金具の前記中間部までに亘る止水領域を収縮前の前記止水チューブ内に挿入する工程と、
前記端子付電線の前記止水領域が、収縮前の前記止水チューブ内における、前記端子金具の前記基部の前記第一面に対し反対側の第二面側に偏った位置に存在する状態で、前記止水チューブを加熱する工程と、を含むワイヤハーネスの製造方法。
【請求項２】
請求項１に記載のワイヤハーネスの製造方法であって、
前記止水チューブを加熱する工程は、前記端子金具の前記基部の前記第二面が上を向く姿勢で保持された前記端子付電線の前記止水領域から吊り下がった前記止水チューブを加熱する工程である、ワイヤハーネスの製造方法。
【請求項３】
請求項１又は請求項２に記載のワイヤハーネスの製造方法であって、
前記絶縁電線の前記芯線はアルミニウムを主成分とする部材であり、
前記端子金具は銅を主成分とする部材である、ワイヤハーネスの製造方法。
【発明の詳細な説明】
【技術分野】
【０００１】
本発明は、絶縁電線及び端子金具を含む端子付電線と止水チューブとを有するワイヤハーネスの製造方法に関する。
【背景技術】
【０００２】
一般に、自動車などの車両に搭載されるワイヤハーネスは、絶縁電線とその端部に接続された端子金具とを含む端子付電線を備えている。
【０００３】
端子付電線において、絶縁電線の芯線がアルミニウム線である場合、芯線と圧着端子との接触部が異種金属接触腐食によって腐食しやすい。端子付電線における異種金属接触腐食を防止するためには、絶縁電線の芯線と圧着端子とが接触する部分への液体の浸入を防ぐことが有効である。
【０００４】
例えば、特許文献１に示されるワイヤハーネスは、端子付電線と絶縁電線の芯線への液体の浸入を防ぐ熱収縮タイプの止水チューブとを備える。熱収縮タイプの止水チューブは、熱収縮チューブとその内側面に形成された熱可塑性接着剤の層とを含む２層構造を有している。
【０００５】
特許文献１に示されるワイヤハーネスにおいて、熱収縮タイプの止水チューブは、絶縁電線におけるインシュレーションバレルが圧着された部分から芯線の先端に亘る領域を圧着端子の外側から覆う。
【先行技術文献】
【特許文献】
【０００６】
【特許文献１】特開２０１１−２９１０２号公報
【発明の概要】
【発明が解決しようとする課題】
【０００７】
ところで、端子金具は、芯線の端部が接続される芯線接続部と接続相手に直接接続される接点部との間の板状の中間部を有している。熱収縮タイプの止水チューブは、端子付電線における絶縁電線の絶縁被覆の部分から端子金具の中間部までに亘る領域を覆う。
【０００８】
熱収縮タイプの止水チューブが端子金具を備える端子付電線で用いられた場合、端子金具における板状の中間部の表面と止水チューブの内側面との間に隙間が形成されてしまう場合がある。特に、中間部が幅の広い平板状である場合に隙間が形成されやすい。その隙間は、芯線の部分への液体の浸入経路となる。
【０００９】
また、中間部の表面と止水チューブの内側面との間に隙間が生じないほどに止水チューブにおける熱可塑性接着剤の量を増やすと、端子付電線における止水チューブの部分、特に、止水チューブにおける絶縁被覆を覆う部分が太くなり過ぎる。
【００１０】
また、止水チューブを加熱する時間が長過ぎると、止水チューブの最外層が過加熱によってダメージを受ける恐れがある。そのため、仮に止水チューブの接着剤が増量されても、上記のダメージが生じない程度の加熱時間内に、接着剤の全量を止水チューブと端子金具との間の全域に充満させることができない事態も生じ得る。
【００１１】
本発明の目的は、端子付電線及び止水チューブを備えるワイヤハーネスにおいて、止水チューブの部分が過剰に太くならないようにしつつ端子金具と止水チューブとの間に隙間が形成されることを確実に防ぎ、芯線の腐食を防止することである。
【課題を解決するための手段】
【００１２】
第１態様に係るワイヤハーネスの製造方法は、端子付電線と止水チューブとを備えるワイヤハーネスを製造する方法である。上記端子付電線は、絶縁電線及び上記絶縁電線に接続された端子金具を含む。上記止水チューブは、熱収縮チューブ及び上記熱収縮チューブの内側面に全周に亘って形成された熱可塑性の接着剤の層を含む２層構造を有し、上記絶縁電線の端部を覆う。上記端子金具は、板状の基部と接点部とを有する。上記基部は、第一面において上記絶縁電線と接触し上記絶縁電線の芯線が接続された芯線接続部及び上記芯線接続部に連なる中間部を含む部分である。上記接点部は、上記中間部に連なり接続相手に直接接続される部分である。第１態様に係るワイヤハーネスの製造方法は、以下に示される各工程を含む。第１の工程は、上記端子付電線における上記絶縁電線の絶縁被覆の部分から上記端子金具の上記中間部までに亘る止水領域を収縮前の上記止水チューブ内に挿入する工程である。第２の工程は、上記止水チューブを加熱する工程である。本工程は、上記端子付電線の上記止水領域が、収縮前の上記止水チューブ内における、上記端子金具の上記基部の上記第一面に対し反対側の第二面側に偏った位置に存在する状態で行われる。
【００１３】
第２態様に係るワイヤハーネスの製造方法は、第１態様に係るワイヤハーネスの製造方法の一態様である。第２態様に係るワイヤハーネスの製造方法において、上記止水チューブを加熱する工程は、上記端子金具の上記基部の上記第二面が上を向く姿勢で保持された上記端子付電線の上記止水領域から吊り下がった上記止水チューブを加熱する工程である。
【００１４】
第３態様に係るワイヤハーネスの製造方法は、第１態様又は第２態様に係るワイヤハーネスの製造方法の一態様である。第３態様に係るワイヤハーネスの製造方法において、上記絶縁電線の上記芯線はアルミニウムを主成分とする部材であり、上記端子金具は銅を主成分とする部材である。
【発明の効果】
【００１５】
熱収縮タイプの止水チューブは熱収縮チューブ及び熱可塑性の接着剤の層を含む２層構造を有する。前述したように、熱収縮タイプの止水チューブが端子付電線の止水領域を内包する状態で加熱された場合、端子金具における板状の中間部と熱収縮チューブとの間に隙間が形成されるという現象が生じやすい。
【００１６】
しかしながら、上記の現象は、端子金具における絶縁電線と接触する第一面が上を向く姿勢で保持された端子付電線から吊り下がった状態の止水チューブを加熱する、という従来の加熱工程が採用される場合に生じやすい現象であることがわかった。
【００１７】
端子付電線の止水領域を内包する止水チューブが加熱されると、全周方向に亘って形成された接着剤の層のうち、端子金具の第一面側に位置する接着剤が主として端子金具の第一面側に溜まり、端子金具の第二面側に位置する接着剤が主として端子金具の第二面側に溜まる。
【００１８】
従来の加熱工程では、端子付電線の止水領域が、収縮前の止水チューブ内において端子金具の第一面側に偏った位置に存在する。この場合、全周方向に亘る接着剤の層のうち、端子金具の第一面側に位置する部分の方が端子金具の第二面側に位置する部分よりも接着剤の量が少ない。そのため、端子金具の第一面側に溜まる接着剤の量が不足しやすい。
【００１９】
一方、上記の各態様において、止水チューブを加熱する工程は、端子付電線の止水領域が、収縮前の止水チューブ内における、端子金具の基部の第二面側に偏った位置に存在する状態で行われる。この場合、全周方向に亘る接着剤の層のうち、端子金具の第一面側に位置する部分の方が端子金具の第二面側に位置する部分よりも多くの量の接着剤を含む。
【００２０】
従って、上記の各態様によれば、端子金具の第一面側に溜まる接着剤の量が従来よりも増え、熱収縮チューブが接着剤によって中間部の第一面に対して隙間無く接着された状態となる。その結果、端子金具と止水チューブとの間に隙間が形成されることを回避でき、ひいては芯線の腐食を防止できる。
【００２１】
また、止水チューブにおける接着剤の層が過大な厚みで形成される必要がなく、その結果、ワイヤハーネスにおける止水チューブの部分が過剰に太くなることもない。
【００２２】
ところで、上記の各態様によれば、端子金具の第二面と熱収縮チューブとの間に隙間が生じる可能性がある。しかしながら、止水チューブは端子金具の両側面と密着するため、端子金具の第二面側の液体は、絶縁電線の芯線が存在する第一面側へ浸入しない。
【００２３】
また、第２態様においては、止水チューブは、端子金具の基部の第二面が上を向く姿勢で保持された端子付電線の止水領域から吊り下がった状態で加熱される。この場合、端子付電線の止水領域が止水チューブ内において端子金具の第二面側に偏った位置に存在する状態を維持することが容易である。即ち、特別な支持具で止水チューブを支える必要がない。
【００２４】
また、第３態様においては、絶縁電線の芯線と端子金具とが異なる種類の金属材料で構成されている。この構成は、液体が絶縁電線の芯線の部分へ浸入した場合に、異種金属接触腐食が特に生じやすい構成である。そのため、絶縁電線の芯線の部分への液体の浸入を防止できる効果がより顕著となる。
【図面の簡単な説明】
【００２５】
【図１】ワイヤハーネス１の側面図である。
【図２】ワイヤハーネス１の一部分解斜視図である。
【図３】ワイヤハーネス１における止水チューブの先端部で覆われた部分の断面図である。
【図４】ワイヤハーネス１の製造工程における止水領域挿入工程を表す図である。
【図５】ワイヤハーネス１の製造工程における加熱工程を表す図である。
【図６】加熱工程における止水チューブの内部を正面から見た図である。
【図７】応用例に係る加熱工程における止水チューブの内部を正面から見た図である。
【発明を実施するための形態】
【００２６】
以下、添付の図面を参照しながら、実施形態について説明する。以下の実施形態は、本発明を具体化した一例であり、本発明の技術的範囲を限定する事例ではない。各実施形態における端子付電線は、自動車などの車両に搭載される。
【００２７】
＜ワイヤハーネスの構成＞
まず、図１〜３を参照しつつ、実施形態に係るワイヤハーネス１の構成について説明する。ワイヤハーネス１は、絶縁電線２と、その端部に取り付けられた端子金具３と、絶縁電線２の端部を覆う熱収縮タイプの止水チューブ４とを備える。以下の説明において、絶縁電線２及びその端部に取り付けられた端子金具３を端子付電線２−３と称する。
【００２８】
＜絶縁電線＞
絶縁電線２は、長尺な導体である芯線２１と、その芯線２１の周囲を覆う絶縁体である絶縁被覆２２とを有する。通常、芯線２１は、複数の細い素線が撚り合わされた撚り線であるが、芯線２１が単線であることも考えられる。
【００２９】
端子金具３が取り付けられる絶縁電線２の端部は、予め一定の長さの分の芯線２１の周囲から絶縁被覆２２が剥がれた状態、即ち、一定の長さ分の芯線２１の端部が絶縁被覆２２の端から延び出た状態に加工されている。
【００３０】
ワイヤハーネス１において、絶縁電線２の芯線は、例えば、銅又はアルミニウムを主成分とする金属の線材である。
【００３１】
＜端子金具＞
端子金具３は絶縁電線２の端部に接続されている。端子金具３は、少なくとも接点部３１、中間部３２及び芯線接続部３３を有している。本実施形態における端子金具３は、さらに被覆圧着部３４を有している。なお、図３は、図１に示されるＩＩ−ＩＩ平面での断面図である。
【００３２】
被覆圧着部３４は、絶縁電線２の絶縁被覆２２の部分の端部に圧着された部分である。芯線接続部３３は、絶縁電線２の芯線２１の端部が接続された板状の部分である。例えば、芯線２１の端部は、超音波溶接又は抵抗溶接などの溶接によって芯線接続部３３に接続されている。この場合、芯線２１の端部は、芯線接続部３３に溶接された接合部２１１をなす。本実施形態における芯線接続部３３は平板状である。
【００３３】
なお、芯線接続部３３が、圧着によって芯線２１に接続された構造を有することも考えられる。この場合、芯線接続部３３は、芯線２１を一方から支える底板部と、芯線２１にかしめられたかしめ部と、が形成された部分である。
【００３４】
中間部３２は、芯線接続部３３と接点部３１との間に位置し、芯線接続部３３及び接点部３１の各々に連なる板状の部分である。本実施形態における中間部３２は平板状である。
【００３５】
以下の説明において、端子金具３における中間部３２から芯線接続部３３に亘る板状の部分のことを基部３２−３３と称する。また、基部３２−３３における芯線２１が接触する側の主面のことを第一主面３０１、その反対側の主面のことを第二主面３０２と称する。
【００３６】
接点部３１は、接続相手に直接接続される部分である。接点部３１は、芯線接続部３３に対し反対側において中間部３２に連なっている。本実施形態における接点部３１は、平板状の部分である。例えば、接続相手への固定用のネジが通される孔３１１が、平板状の接点部３１に形成されている。
【００３７】
ワイヤハーネス１において、絶縁電線２の芯線２１と端子金具３とがそれぞれ異種の金属で構成されていることが考えられる。例えば、芯線２１が、アルミニウム線、即ち、アルミニウムを主成分とする金属（アルミニウムまたはアルミニウム合金）の線材であることが考えられる。一方、端子金具３が、銅もしくは黄銅などの銅合金の基材に、錫（Ｓｎ）もしくは錫に銀（Ａｇ）、銅（Ｃｕ）、ビスマス（Ｂｉ）などが添加された錫合金のメッキが施された部材であることが考えられる。この場合、端子金具３と接触する芯線２１は、電解液となる液体が浸入すると腐食しやすい。
【００３８】
また、芯線２１が芯線接続部３３に対して超音波溶接によって接合されている場合、端子金具３の芯線接続部３３における少なくとも芯線２１が接合される側の第一主面３０１は、メッキが無く基材が露出した面であることが考えられる。このように銅を主成分とする基材が露出した芯線接続部３３の第一主面３０１は、超音波溶接によって芯線２１と接合されやすい。
【００３９】
＜止水チューブ＞
ワイヤハーネス１は、芯線２１の腐食を防ぐために液体の浸入を防ぐ止水構造を備えている。ワイヤハーネス１における止水構造は止水チューブ４を含む。
【００４０】
止水チューブ４は、熱を受けて収縮する熱収縮タイプのチューブである。図２は、収縮前の止水チューブ４を示し、図１は加熱されることによって収縮した後の止水チューブ４を示している。
【００４１】
止水チューブ４は、熱収縮チューブ４１とその熱収縮チューブ４１の内側面に全周に亘って形成された熱可塑性の接着剤層４２とを含む２層構造を有する。本実施形態において、接着剤層４２は、熱収縮チューブ４１の内側面全体に形成されている。
【００４２】
熱収縮チューブ４１は、例えば、ポリオレフィン系樹脂もしくはナイロン系樹脂などの合成樹脂からなる管状の部材である。熱収縮チューブ４１は、押し出し成形によりごく細い管状に成形された樹脂部材が、加熱された状態で太い管状へ引き伸ばされた後に冷却されることによって得られる。このようにして得られた熱収縮チューブ４１は、加熱された場合、引き伸ばされる前の細い管状まで収縮する形状記憶特性を有する。
【００４３】
止水チューブ４は、熱を受けて収縮した状態で、絶縁電線２及び端子金具３における止水領域に密着してその止水領域を覆う。止水領域は、絶縁電線２及び端子金具３における絶縁被覆２２の部分から中間部３２までに亘る領域である。
【００４４】
従って、熱収縮チューブ４１の第１の端部は、絶縁電線２における絶縁被覆２２の部分の外周面に対しその全周方向に亘って接着剤層４２によって隙間無く接着されている。なお、熱収縮チューブ４１の第１の端部は、接点部３１側に対して反対側の端部であり、熱収縮チューブ４１の第２の端部は、接点部３１側の端部である。
【００４５】
さらに、熱収縮チューブ４１の第２の端部は、端子金具３の中間部３２の第一主面３０１に対し幅方向全体に亘って接着剤層４２によって隙間無く接着されている。また、熱収縮チューブ４１の第２の端部は、端子金具３の中間部３２の第二主面３０２に対し接着剤層４２によって接着されている。なお、図３が示す例では、小さな隙間が中間部３２の第二主面３０２側の接着剤層４２に形成されているが、このような隙間が無いことも考えられる。
【００４６】
続いて、図４〜６を参照しつつ、ワイヤハーネス１の製造工程の一部である止水領域挿入工程及び加熱工程の一例について説明する。図４は止水領域挿入工程を表す図である。図５は加熱工程を表す図である。図６は加熱工程における止水チューブ４の内部を正面から見た図である。
【００４７】
なお、図４，５は、各工程における端子付電線２−３及び収縮前の止水チューブ４の側面図である。また、図６において、端子金具３における中間部３２の断面が示されている。この断面は、図５に示されるＩＩＩ−ＩＩＩ平面での断面である。
【００４８】
＜止水領域挿入工程＞
本工程は、端子付電線２−３の止水領域を収縮前の止水チューブ４内に挿入する工程である。図４が示す例では、予め絶縁電線２が通された収縮前の止水チューブ４が、絶縁被覆２２の部分から止水領域の位置へ移される。これにより、端子付電線２−３の止水領域が止水チューブ４内に挿入される。
【００４９】
また、図４が示す例では、端子付電線２−３が、端子金具３の基部３２−３３の第二主面３０２が上を向く姿勢で保持された状態で、止水領域挿入工程が行われている。これにより、止水チューブ４は、基部３２−３３の第二主面３０２が上を向く姿勢で保持された端子付電線２−３の止水領域から吊り下がった状態となる。
【００５０】
＜加熱工程＞
加熱工程は、端子付電線２−３の止水領域を内包する止水チューブ４を加熱する工程である。止水チューブ４は、ヒータ７又は熱風送風機などによって加熱される。或いは、端子付電線２−３及びその止水領域を覆う止水チューブ４が高温状態に維持された恒温層内に入れられることも考えられる。
【００５１】
加熱工程において、止水チューブ４は、熱収縮チューブ４１が収縮するとともに、接着剤層４２が流動化する温度まで加熱される。加熱工程で止水チューブ４が加熱されと、熱収縮チューブ４１は、収縮して端子付電線２−３の止水領域の表面に沿う形状へ変形する。
【００５２】
さらに、接着剤層４２は、流動化して止水領域と熱収縮チューブ４１との間を満たす状態になる。また、加熱工程の終了後、流動化した接着剤層４２は、端子付電線２−３の止水領域と熱収縮チューブ４１との間を埋める状態で固化する。
【００５３】
図６が示すように、端子付電線２−３の止水領域が、収縮前の止水チューブ４内における、端子金具３の基部３２−３３の第二主面３０２側に偏った位置に存在する状態で、加熱工程が行われる。
【００５４】
本実施形態における加熱工程は、基部３２−３３の第二主面３０２が上を向く姿勢で保持された端子付電線２−３の止水領域から吊り下がった止水チューブ４を加熱する工程である。この場合、基部３２−３３の第二主面３０２における両側の縁が、止水チューブ４の内側面、即ち、接着剤層４２の表面に接した状態で、加熱工程が行われる。
【００５５】
＜加熱工程の応用例＞
次に、図７を参照しつつ応用例に係る加熱工程について説明する。図７は、応用例に係る加熱工程における止水チューブ４の内部を正面から見た図である。
【００５６】
図７が示す加熱工程も、図５，６が示す加熱工程と同様に、端子付電線２−３の止水領域が、収縮前の止水チューブ４内における、端子金具３の基部３２−３３の第二主面３０２側に偏った位置に存在する状態で行われる。
【００５７】
但し、図７が示す例では、端子付電線２−３は、端子金具３の基部３２−３３の第一主面３０１が上を向く姿勢で保持されている。さらに、止水チューブ４が、その内側面が基部３２−３３の第二主面３０２における両側の縁に接するように支持具８によって支持されている。これにより、端子付電線２−３の止水領域が、収縮前の止水チューブ４内における、端子金具３の基部３２−３３の第二主面３０２側に偏った位置に存在する状態となる。
【００５８】
＜効果＞
熱収縮タイプの止水チューブ４が端子付電線２−３の止水領域を内包する状態で加熱された場合、端子金具３における板状の中間部３２と熱収縮チューブ４１との間に隙間が形成されるという現象が生じやすい。
【００５９】
しかしながら、上記の現象は、基部３２−３３の第一主面３０１が上を向く姿勢で保持された端子付電線２−３から吊り下がった状態の止水チューブ４を加熱する、という従来の加熱工程が採用される場合に生じやすい現象であることがわかった。
【００６０】
端子付電線２−３の止水領域を内包する止水チューブ４が加熱されると、全周方向に亘って形成された接着剤層４２のうち、端子金具３の第一主面３０１側に位置する接着剤が主として端子金具３の第一主面３０１側に溜まり、端子金具３の第二主面３０２側に位置する接着剤が主として端子金具３の第二主面３０２側に溜まる。
【００６１】
従来の加熱工程では、端子付電線２−３の止水領域が、収縮前の止水チューブ４内において端子金具３の第一主面３０１側に偏った位置に存在する。この場合、全周方向に亘る接着剤層４２のうち、端子金具３の第一主面３０１側に位置する部分の方が第二主面３０２側に位置する部分よりも接着剤の量が少ない。そのため、端子金具３の第一主面３０１側に溜まる接着剤の量が不足しやすい。
【００６２】
一方、図５〜７が示す加熱工程は、端子付電線２−３の止水領域が、収縮前の止水チューブ４内における、基部３２−３３の第二主面３０２側に偏った位置に存在する状態で行われる。この場合、図３が示すように、全周方向に亘る接着剤層４２のうち、端子金具３の第一主面３０１側で固化した接着剤４２１の方が第二主面３０２側で固化した接着剤４２２よりも量が多くなる。
【００６３】
従って、図５〜７が示す加熱工程が採用されれば、端子金具３の第一主面３０１側に溜まる接着剤の量が従来よりも増え、熱収縮チューブ４１が接着剤によって中間部３２の第一主面３０１に対して隙間無く接着された状態となる。その結果、端子金具３と止水チューブ４との間に隙間が形成されることを回避でき、ひいては芯線２１の腐食を防止できる。
【００６４】
また、止水チューブ４における接着剤層４２が過大な厚みで形成される必要がなく、その結果、ワイヤハーネス１における止水チューブ４の部分が過剰に太くなることもない。
【００６５】
ところで、図５〜７が示す加熱工程が採用された場合、基部３２−３３の第二主面３０２と熱収縮チューブ４１との間に隙間が生じる可能性がある。しかしながら、止水チューブ４は端子金具３の両側面と密着するため、端子金具３の第二主面３０２側の液体は、絶縁電線２の芯線２１が存在する第一主面３０１側へ浸入しない。
【００６６】
また、図５，６が示す加熱工程において、止水チューブ４は、基部３２−３３の第二主面３０２が上を向く姿勢で保持された端子付電線２−３の止水領域から吊り下がった状態で加熱される。この場合、止水領域が止水チューブ４内において端子金具３の第二主面３０２側に偏った位置に存在する状態を維持することが容易である。即ち、特別な支持具で止水チューブ４を支える必要がない。
【００６７】
また、芯線２１がアルミニウムを主成分とする部材であり、端子金具３が銅を主成分とする部材である場合、芯線２１の部分への液体の浸入によって異種金属接触腐食が特に生じやすい。そのような場合に図４〜７に示される製造方法が採用されれば、芯線２１の部分への液体の浸入を防止できる効果がより顕著となる。
【００６８】
なお、本発明に係るワイヤハーネスの製造方法は、各請求項に記載された発明の範囲において、以上に示された実施形態及び応用例を自由に組み合わせること、或いは実施形態及び応用例を適宜、変形する又は一部を省略することによって構成されることも可能である。
【符号の説明】
【００６９】
１  ワイヤハーネス
２−３  端子付電線
２  絶縁電線
２１  芯線
２１１  接合部
２２  絶縁被覆
３  端子金具
３０１  基部の第一主面
３０２  基部の第二主面
３１  接点部
３１１  孔
３２−３３  基部
３２  中間部
３３  芯線接続部
３４  被覆圧着部
４  止水チューブ
４１  熱収縮チューブ
４２  接着剤層
４２１  第一主面側で固化した接着剤
４２２  第二主面側で固化した接着剤
７  ヒータ
８  支持具
【図１】
2015026429.tif 000003
【図２】
2015026429.tif 000004
【図３】
2015026429.tif 000005
【図４】
2015026429.tif 000006
【図５】
2015026429.tif 000007
【図６】
2015026429.tif 000008
【図７】
2015026429.tif 000009